(57)【要約】【課題】ユニットフロアのように複数の小梁が固定された施工対象物を揚重して小梁を大梁へ取り付けるにあたり、クレーンの拘束時間を短縮しつつ、施工対象物の取り付け位置への位置決めを簡単に行えるようにする。【解決手段】大梁１６のウェブ１６にガセットプレート２０を溶接し、このガセットプレート２０の両側にガイド板２２ａを溶接する。ガイド板２２ａはその間隔が上端部でＶ型に拡がるように構成される。小梁１０は梁端部において下フランジ１０ｃが切り欠かれ、この切り欠き部のウェブ１０が上記ガイド板２２ａの間の隙間に挿入されるように、ユニットフロア１４が吊り下ろされ、小梁１０の上フランジ１０ｂがガイド板２２ａの上端に当接することで、小梁１０が支持される。【選択図】      図３
2004278210.tif 000002
【特許請求の範囲】
【請求項１】
複数の小梁が固定された施工対象物を揚重して前記小梁を大梁に接合するための方法であって、
前記小梁を前記大梁への接合位置まで上下方向に案内すると共に前記小梁を前記接合位置に支持する案内支持機構を設け、
クレーンにより前記施工対象物を揚重して、前記小梁が前記案内支持機構により案内可能となる位置まで前記施工対象物を移動させ、
前記小梁を前記案内支持機構で案内させながら、前記クレーンにより、前記施工対象物を当該小梁が当該案内支持機構によって支持されるまで吊り下ろし、
前記クレーンを前記施工対象物から切り離した後、前記支持された小梁を前記大梁に接合することを特徴とする方法。
【請求項２】
請求項１記載の小梁と大梁の接合方法において、
前記案内支持機構を、互いに隙間を隔てて鉛直方向に延びると共に、上端部において隙間が拡がるように屈曲された一対のガイド板を前記大梁のウェブに対して垂直に接合することにより構成し、
前記小梁の下フランジを梁端部において切り欠いておき、当該切り欠き部分における小梁のウェブが前記ガイド板の間の隙間に上方から挿入されるように前記施工対象物を吊り下ろしながら当該小梁を案内し、
当該小梁の上フランジを前記ガイド板の上端面に当接させることにより当該小梁を支持し、
当該支持した小梁のウェブを前記ガイド板に接合することを特徴とする方法。
【請求項３】
請求項１記載の小梁と大梁の接合方法において、
前記案内支持機構を、前記大梁のウェブに対して垂直に、その上下フランジから突出するように接合されたガセットプレートと、前記小梁にそのウェブと隙間を隔てて取り付けられ、下端部において前記隙間が拡がるように構成されたガイド板と、前記小梁の上フランジの梁端部から当該小梁の長手方向に突出する保持部材とにより構成し、
前記小梁の下フランジを梁端部において切り欠いておき、当該切り欠き部分におけるウェブと前記ガイド板とが前記ガセットプレートを両側から挟むように前記ユニットフロアを吊り下ろしながら前記小梁を案内し、
前記保持部材を前記大梁の上フランジの上面に当接させることにより前記小梁を支持し、
当該支持した小梁のウェブを前記ガセットプレートに接合することを特徴とする方法。
【請求項４】
請求項３記載の小梁と大梁の接合方法において、前記ガイド板および前記保持部材を前記小梁に着脱可能に取り付けることを特徴とする方法。
【請求項５】
複数の小梁が固定された施工対象物の前記小梁を大梁に接合する構造であって、
互いに隙間を隔てて鉛直方向に延びると共に、上端部において隙間が拡がるように屈曲された一対のガイド板が前記大梁のウェブに対して垂直に接合され、
前記小梁の下フランジが梁端部において切り欠かれており、当該切り欠かれた部分における小梁のウェブが前記ガイド板の間の隙間に挿入され、
前記小梁の上フランジが前記ガイド板の上端に当接させられていると共に、前記小梁のウェブが前記ガイド板に接合されていることを特徴とする小梁と大梁の接合構造。
【請求項６】
複数の小梁が固定された施工対象物の前記小梁を大梁に接合する構造であって、
前記大梁のウェブに対して垂直に、その上下フランジから突出するようにガセットプレートが接合され、
前記小梁にそのウェブと隙間を隔てるようにガイド板が固定され、
前記小梁の上フランジに当該小梁の端部からその長手方向に突出する保持部材が固定され、
前記小梁の下フランジは梁端部において切り欠かれており、当該切り欠かれた部分におけるウェブと前記ガイド板との間の隙間に前記ガセットプレートが挿入され、
前記保持部材が前記大梁の上フランジの上面に当接させられていると共に、前記小梁のウェブが前記ガセットプレートに接合されていることを特徴とする小梁と大梁の接合構造。
【発明の詳細な説明】
【０００１】
【発明の属する技術分野】
本発明は、例えばユニットフロアのように複数の小梁が固定された施工対象物を揚重して小梁を大梁に取り付ける方法に関する。
【０００２】
【従来の技術】
従来より、超高層ビル等の鉄骨建方の省力化工法の一つとして、ユニットフロア工法が知られている。このユニットフロア工法は、図１に示すように、複数本の小梁１０とデッキプレート１２等を地上でユニットフロア１４として組み立て、このユニットフロア１４をクレーン１５で揚重して各小梁１０を大梁１６に接合するものである。その際、図２に示すように、小梁１０と大梁１６との接合部において、大梁１６のフランジ間に接合したガセットプレート２０と小梁１０のウェブ１０ａとを接続プレート１８を介してボルトで接合することが一般的である。
【０００３】
また、特許文献１には、大梁に載置可能な仮置きフレームと、ユニットフロアを取り付け可能な吊りフレームとを含む架台を用いたユニットフロアの施工方法が開示されている。この方法では、上記吊りフレームにユニットフロアを取り付け、タワークレーンで架台を吊り上げて仮置きフレームを大梁に載置した後、クレーンを切り離し、この状態で、吊りフレームを降下させて取り付け位置を調整しながらユニットフロアを目的の場所に取り付ける。
【０００４】
【特許文献１】
特開平８−５３９４１号公報
【０００５】
【発明が解決しようとする課題】
上記図１に示すようなユニットフロア工法では、従来は、ユニットフロア１４をクレーン１５で吊った状態のまま各小梁１０の両端部を大梁１６にボルトで仮止めしている。このため、仮止め作業が終わるまで長時間クレーンが占有されることとなり、クレーンの稼動効率が低下してしまう。一方、仮止め作業を短時間で終わらせるには、仮止め作業のために多数の作業員を配置しなければならずコスト増を招いてしまう。
【０００６】
また、特許文献１に開示される方法では、架台の仮置きフレームを大梁に載置した後、クレーンは解放されるものの、吊りフレームによる取り付け位置の調整作業を行わねばならず、大きな手間がかかってしまう。
【０００７】
本発明は上記の点に鑑みてなされたものであり、ユニットフロアのように複数の小梁が固定された施工対象物を揚重して小梁を大梁へ取り付けるにあたり、クレーンの占有時間を短縮しつつ、施工対象物の位置決めを簡単に行えるようにすることを目的とする。
【０００８】
【課題を解決するための手段】
上記の目的を達成するため、本発明は、複数の小梁が固定された施工対象物を揚重して前記小梁を大梁に接合するための方法であって、
前記小梁を前記大梁への接合位置まで上下方向に案内すると共に前記小梁を前記接合位置に支持する案内支持機構を設け、
クレーンにより前記施工対象物を揚重して、前記小梁が前記案内支持機構により案内可能となる位置まで前記施工対象物を移動させ、
前記小梁を前記案内支持機構で案内させながら、前記クレーンにより、前記施工対象物を当該小梁が当該案内支持機構によって支持されるまで吊り下ろし、
前記クレーンを前記施工対象物から切り離した後、前記支持された小梁を前記大梁に接合することを特徴とする。
【０００９】
本発明によれば、案内支持機構で小梁を大梁への接合位置まで案内するので、小梁の位置決めを簡単に行える。また、案内支持機構により、小梁を上記接合位置において支持するので、その後は、クレーンで施工対象物を保持しておくことが不要となり、クレーンを施工対象物から取り外した状態で、小梁と大梁の接合作業を行える。このため、クレーンの占有時間が短くなり、クレーンを能率的に利用できるようになる。
【００１０】
また、本発明の小梁と大梁の接合方法において、前記案内支持機構を、互いに隙間を隔てて鉛直方向に延びると共に、上端部において隙間が拡がるように屈曲された一対のガイド板を前記大梁のウェブに対して垂直に接合することにより構成し、前記小梁の下フランジを梁端部において切り欠いておき、当該切り欠き部分における小梁のウェブが前記ガイド板の間の隙間に上方から挿入されるように前記施工対象物を吊り下ろしながら当該小梁を案内し、当該小梁の上フランジを前記ガイド板の上端面に当接させることにより当該小梁を支持し、当該支持した小梁のウェブを前記ガイド板に接合することとしてもよい。
【００１１】
また、本発明の小梁と大梁の接合方法において、前記案内支持機構を、前記大梁のウェブに対して垂直に、その上下フランジから突出するように接合されたガセットプレートと、前記小梁にそのウェブと隙間を隔てて取り付けられ、下端部において前記隙間が拡がるように構成されたガイド板と、前記小梁の上フランジの梁端部から当該小梁の長手方向に突出する保持部材とにより構成し、前記小梁の下フランジを梁端部において切り欠いておき、当該切り欠き部分におけるウェブと前記ガイド板とが前記ガセットプレートを両側から挟むように前記ユニットフロアを吊り下ろしながら前記小梁を案内し、前記保持部材を前記大梁の上フランジの上面に当接させることにより前記小梁を支持し、当該支持した小梁のウェブを前記ガセットプレートに接合することとしてもよい。
この場合、前記ガイド板および前記保持部材を前記小梁に着脱可能に取り付けることとしてもよい。
【００１２】
【発明の実施の形態】
以下、本発明の実施形態について説明する。以下に述べる各実施形態では、上記図１に示すように、複数の小梁１０が固定されたユニットフロア１４をタワークレーンや天井クレーン等のクレーン１５で揚重して、小梁１０を大梁１６に接合する場合の工法について説明する。
【００１３】
図３は、本発明の第１実施形態において小梁１０を大梁１６に接合する様子を示す斜視図である。また、図４は、小梁１０を大梁１６に接合した状態を図３に示す矢印ＩＶの方向から見た図であり、図５は、図４におけるＶ−Ｖ断面図である。
【００１４】
図３〜図５に示すように、大梁１６には、そのウェブ１６ａに対して垂直にガセットプレート２０が溶接されている。ガセットプレート２０の両面には、互いに隙間を隔てて設けられた一対のガイド板２２が溶接されている。ただし、図６に示すように、ガイド板２２をボルト接合によりガセットプレート２０に接合してもよい。ガイド板２２はそれらの間隔が上端部においてＶ型に拡がるように屈曲されている。また、ガイド板２２および小梁１０のウェブ１０ａには、夫々、両者をボルト接合するためのボルト孔２２ａおよび１０ｄが設けられている。
【００１５】
小梁１０はその梁端部において下フランジ１０ｃが切り欠かれており、この切り欠き部分におけるウェブ１０ａが、ガイド部材２２の両ガイド板２２ａの間に挿入されるように（つまり、両ガイド板２２ａの隙間に沿って案内されるように）、クレーン１５でユニットフロア１４を吊り下ろす。そして、小梁１０の上フランジ１０ｂがガイド部材２２の上端面に当接することで小梁１０はその位置に支持され、小梁１０が大梁１６に仮置きされた状態になる。この仮置き状態でクレーン１５をユニットフロア１４から取り外し、小梁１０のボルト孔１０ｄおよびガイド板２２のボルト孔２２ａを貫通してボルト２４を締め込むことにより、小梁１０と大梁１６とをボルト接合する。
【００１６】
以上説明したように、本実施形態では、クレーン１５でユニットフロア１４を揚重し、小梁１０のウェブ１０ａをガイド部材２２で案内しながら、小梁１０の上フランジ１０ｂがガイド部材２２に当接するまでユニットフロア１４を吊り下ろせば、小梁１０が大梁１６に仮置きされた状態となる。このため、小梁１０の仮止め作業を行うことなく、クレーン１５をユニットフロア１４から取り外して、次の揚重作業に用いることができる。したがって、本実施形態によれば、ユニットフロア１４を揚重して取り付ける際のクレーン１５の占有時間を短くして、クレーン１５を効率的に利用することができる。
【００１７】
また、ガイド板２２はその上端部において間隔がＶ型に拡がるように構成されているため、小梁１０のウェブ１０ａがそのＶ型空間の上方に位置するようにおおよその位置合わせを行えば、後はユニットフロア１４を降下させるだけで、小梁１０のウェブ１０ａがガイド板２２に案内されて、自然に、大梁１６への接合位置に位置決めされる。したがって、本実施形態によれば、小梁１０の位置決めを簡単に行うことができる。
【００１８】
次に、本発明の第２の実施形態について説明する。図７は、本実施形態において小梁１０を大梁１６に接合する様子を示す斜視図であり、図８は小梁１０を大梁１６に接合した状態を図７に示す矢印ＶＩＩＩの方向から見た図であり、図９は図８におけるＩＸ−ＩＸ断面図である。また、図１０は、本実施形態において用いられる冶具５０の斜視図である。
【００１９】
図７〜図９に示すように、大梁１６にはそのウェブ１６ａに対して垂直にガセットプレート３０が溶接されている。このガセットプレート３０は、大梁１６の上下フランジ１６ｂ，１６ｃよりも突出するように構成されている。ガセットプレート３０および小梁１０のウェブ１０ａには、夫々、両者をボルト接合するためのボルト孔３０ａおよび１０ｄが設けられている。また、小梁１０はその梁端部において、下フランジ１０ｃが切り欠かれていると共に、上フランジ１０ｂに冶具５０が取り付けられている。
【００２０】
冶具５０は、ガイド板５２および支持部材５４を備えている。ガイド板５２は基部５２ａおよび脚部５２ｂを備えた断面が略Ｌ型の部材であり、脚部５２ｂの下端部は斜めに屈曲されている。また、支持部材５４は断面がコの字型の本体部５４ａと、この本体部５４ａの下面からＬ型に突出する保持部５４ｂとを備える部材である。この支持部材５４は、本体部５４ａと保持部５４ｂとの間の隙間に小梁１０の上フランジ１０ｂが挟み込まれるように、ボルト５６により小梁１０に取り付けられている。このように支持部材５４が小梁１０に取り付けられた状態で、本体部５４ａは小梁１０の端部からその長手方向に突出している。
【００２１】
また、ガイド板５２は、その基部５２ａに設けられた長孔５２ｃ（図１０を参照）を通してボルト５８が締め込まれることにより、脚部５２ｂと小梁１０のウェブ１０ａとの間に所定の隙間（大梁１６側のガセットプレート３０が嵌まり込む程度の隙間）が保たれるように小梁１０に固定されている。その際、ガイド板５２のボルト孔が長孔５２ｃとされていることで、図１０に矢印で示すように、小梁１０のフランジ幅に合わせてガイド板５２の取付位置を調整することができる。なお、図７〜図１０に示す構成では、支持部材５４およびガイド板５２の小梁１０へのボルト締着部にスペーサー板５７を介装しており、大梁１６のフランジ厚さに合わせて調整する。
【００２２】
以上のように冶具５０が取り付けられた小梁１０を、そのウェブ１０ａとガイド板５２の脚部５２ｂとの隙間にガセットプレート３０が挿入されるように、クレーン１５によりユニットフロア１４を上方から吊り下ろす。そして、支持部材５４が大梁１６の上フランジ１６ｂの上面に当接することで、小梁１０はその位置に支持され、小梁１０が大梁１６に仮置きされた状態となる。なお、上記のようにガイド板５２の脚部５２ｂの下端部が屈曲されていることで、この脚部５２ｂと小梁１０のウェブ１０ａとの間隔は下向きのＶ型に拡がっている。したがって、このＶ型に拡がった空間の下方にガセットプレート３０が位置するように、小梁１０のおおよその位置あわせを行えば、後は、ユニットフロア１４を降下させるだけで、脚部５２ｂと小梁１０のウェブ１０ａとがガセットプレート３０により案内されて小梁１０が自然に位置決めされることになる。
【００２３】
こうして小梁１０が仮置きされた後、上記第１実施形態の場合と同様に、クレーン１５をユニットフロア１４から取り外し、小梁１０のボルト孔１０ｄと、ガセットプレート３０のボルト孔３０ａにボルト６２を貫通して締め付けることにより、小梁１０と大梁１６とがボルト接合される。
【００２４】
以上のように、本実施形態によれば、小梁１０に冶具５０を取り付けることで、小梁１０を大梁１６に仮置きすることができる。したがって、小梁１０の仮止めを行うことなく、クレーン１５をユニットフロア１４から取り外すことができるので、クレーン１５の占有時間を短くして、クレーン１５の使用効率を向上させることができる。また、ガイド板５２の脚部５２ｂと小梁１０のウェブ１０ａとの間の隙間が下向きのＶ型に拡がっているので、小梁１０を正確に位置決めしなくても、ガセットプレート３０を上記隙間に挿入させることができ、したがって、小梁１０の位置決めを簡単に行うことができる。
【００２５】
また、本実施形態では、小梁１０と大梁１６とをボルト接合した後は、冶具５０を小梁１０から取り外すことができる。このため、冶具５０を再利用することが可能となり、コスト削減を図ることができる。
【００２６】
なお、本実施形態の構成では、図８などからも分かるように、冶具５０のガイド板５２が小梁１０のウェブ１０ａの上部を覆うため、ボルト６２の本数が多い場合には、一部のボルト孔１０ｄがガイド板５２で塞がれることがある。このような場合には、冶具５０が取り付けられた状態でも、少なくとも小梁１０の仮止めに必要な本数のボルト６２を締着できるようにボルト孔１０ｄの位置やガイド板５２の寸法を設計しておき、それらのボルト６２で仮止めを行った後、冶具５０を取り外して、残りのボルト６２を締着するようにすればよい。
また、ボルトの本数が少ない場合には、図１１に示すように、ガセットプレート３０の突出量を大きくして、ガイド板５２の側方でボルト６２を締着する構成としてもよい。
【００２７】
【発明の効果】
本発明によれば、ユニットフロアのように複数の小梁が固定された施工対象物を揚重して小梁を大梁へ取り付けるにあたり、クレーンの占有時間を短縮しつつ、施工対象物の位置決めを簡単に行うことができる。
【図面の簡単な説明】
【図１】ユニットフロア工法を説明するための図である。
【図２】ユニットフロア工法における小梁と大梁の接合部の構成を示す図である。
【図３】本発明の第１実施形態において小梁を大梁に接合する様子を示す斜視図である。
【図４】本実施形態において小梁を大梁に接合した状態を図３に示す矢印ＩＶの方向から見た図である。
【図５】図４におけるＶ−Ｖ断面図である。
【図６】ガイド板をガセットプレートにボルト接合した構成を示す図である。
【図７】本発明の第２の実施形態において小梁を大梁に接合する様子を示す斜視図である。
【図８】本実施形態において小梁を大梁に接合した状態を図７に示す矢印ＶＩＩＩの方向から見た図である。
【図９】図８におけるＩＸ−ＩＸ断面図である。
【図１０】本実施形態において用いられる冶具の斜視図である。
【図１１】小梁と大梁とを接合するボルトの本数が少ない場合のボルトの配置を示す図である。
【符号の説明】
１０  小梁
１０ａ  ウェブ
１０ｂ  上フランジ
１０ｃ  下フランジ
１４  ユニットフロア
１５  クレーン
１６  大梁
１６ａ  ウェブ
１６ｂ  上フランジ
１６ｃ  下フランジ
２０，３０  ガセットプレート
２２  ガイド板
２４  ボルト
５０  冶具
５２  ガイド板
５４  支持部材
５６，５８，６２  ボルト
【図１】
2004278210.tif 000003
【図２】
2004278210.tif 000004
【図３】
2004278210.tif 000005
【図４】
2004278210.tif 000006
【図５】
2004278210.tif 000007
【図６】
2004278210.tif 000008
【図７】
2004278210.tif 000009
【図８】
2004278210.tif 000010
【図９】
2004278210.tif 000011
【図１０】
2004278210.tif 000012
【図１１】
2004278210.tif 000013